(57)【特許請求の範囲】
【請求項１】
媒体に記録を行う記録手段を備える装置本体の上部に設けられ、媒体をセット可能な媒体供給口と、
前記装置本体の上部において開閉可能に設けられた、原稿を読み取る読み取り機構部と、
前記媒体供給口を開閉する、前記装置本体に設けられた媒体供給口カバーと、
前記読み取り機構部が備える原稿台を開閉するカバーであって、前記媒体供給口カバーと開き方向が同じである、前記読み取り機構部に設けられた原稿カバーと、を備え、
前記原稿カバーと前記媒体供給口カバーは、前記読み取り機構部及び前記媒体供給口カバーが閉じるとともに前記原稿カバーが開いた状態から、前記読み取り機構部が開く過程において、前記媒体供給口カバーの先端が前記原稿カバーに当接する位置関係にあるとともに、前記原稿カバーが前記媒体供給口カバーに開き方向の外力を付与する、
ことを特徴とする記録装置。
【請求項２】
請求項１に記載の記録装置において、前記読み取り機構部及び前記媒体供給口カバーが閉じるとともに前記原稿カバーが開いた状態から、前記読み取り機構部が開く過程において、前記原稿カバーが前記媒体供給口カバーから受ける反力が、前記原稿カバーが閉じる為に必要な大きさを超えない、
ことを特徴とする記録装置。
【請求項３】
請求項１または請求項２に記載の記録装置において、前記原稿カバー及び前記媒体供給口カバーと係合可能であるとともに揺動可能な揺動部材を備え、
前記読み取り機構部並びに前記原稿カバー及び前記媒体供給口カバーが閉じた状態から前記原稿カバーを開くと、前記揺動部材が揺動して前記媒体供給口カバーを押し上げる構成である、
ことを特徴とする記録装置。
【請求項４】
請求項１から請求項３のいずれか一項に記載の記録装置において、前記読み取り機構部及び前記媒体供給口カバーが閉じるとともに前記原稿カバーが開いた状態から、前記読み取り機構部を開く過程において、前記媒体供給口カバーが前記原稿カバーに当接する当接位置から前記原稿カバーの回動軸側の前記原稿カバーの上面と、前記媒体供給口カバーの上面との成す角度が、鋭角である、
ことを特徴とする記録装置。
【請求項５】
請求項１から請求項４のいずれか一項に記載の記録装置において、前記媒体供給口カバーの先端に第１斜面が形成され、
前記原稿カバーの基端側には、前記第１斜面と対向する第２斜面が形成され、
前記読み取り機構部、前記原稿カバー、前記媒体供給口カバー、のこれらが閉じた状態から、前記読み取り機構部が開く際に、前記第２斜面が、前記第１斜面を、前記媒体供給口カバーが開く方向に押し上げる構成を備える、
ことを特徴とする記録装置。
【請求項６】
請求項５に記載の記録装置において、前記原稿カバー及び前記媒体供給口カバーの平面視において、前記第２斜面の少なくとも一部は、前記第１斜面と重なっている、
ことを特徴とする記録装置。
【請求項７】
媒体に記録を行う記録手段を備える装置本体の上部に設けられ、媒体をセット可能な媒体供給口と、
前記装置本体の上部において開閉可能に設けられた、原稿を読み取る読み取り機構部と、
前記媒体供給口を開閉する、前記装置本体に設けられた媒体供給口カバーと、
前記読み取り機構部が備える原稿台を開閉するカバーであって、前記媒体供給口カバーと開き方向が同じである、前記読み取り機構部に設けられた原稿カバーと、を備え、
前記媒体供給口カバーは、回動軸線方向と交差する方向にスライド可能であり、
前記原稿カバーと前記媒体供給口カバーは、前記読み取り機構部及び前記媒体供給口カバーが閉じるとともに前記原稿カバーが開いた状態から、前記読み取り機構部が開く過程において、前記媒体供給口カバーの先端が前記原稿カバーに当接する位置関係にあるとともに、前記原稿カバーが前記媒体供給口カバーをスライドさせる構成である、
ことを特徴とする記録装置。
【請求項８】
請求項１から請求項７のいずれか一項に記載の記録装置において、前記媒体供給口カバーの上面と前記原稿カバーの上面とが面一である、
ことを特徴とする記録装置。
【発明の詳細な説明】
【技術分野】
【０００１】
本発明は、被記録媒体に記録を行う記録機構部と、原稿を読み取る読み取り機構部とを備えた記録装置に関する。
【背景技術】
【０００２】
媒体に記録を行う記録装置には、媒体に記録を行う記録機構部と、原稿を読み取る読み取り機構部とを一体に備え、前記記録機構部に媒体を供給するための媒体供給口が、装置本体の後方上部に設けられるものがある（例えば、特許文献１参照）。
【０００３】
特許文献１記載の記録装置では、媒体供給口を開閉する蓋体が設けられており、不使用時には蓋体を閉じることができる様になっている。尚、この蓋体は、媒体給送口から給送される媒体を支持する媒体サポートとして機能する様に構成されている。以下、媒体供給口を開閉する蓋体は、他の蓋体と区別するため、用紙供給口カバーと称する。  
また、特許文献１記載の記録装置は、読み取り機構部に対応するスキャナユニットに、原稿台ガラスを開閉する蓋体が設けられている。この蓋体は、以下では原稿カバーと称する。
【先行技術文献】
【特許文献】
【０００４】
【特許文献１】特開２００５−２５３０３７号公報
【発明の概要】
【発明が解決しようとする課題】
【０００５】
特許文献１記載の記録装置では、用紙供給口への異物の落下を防止する異物落下防止カバーを備えており、用紙供給口カバーが閉じた状態からスキャナユニットを開放すると、異物落下防止カバーが用紙供給口カバーの下面に当接してこれを押し上げ、用紙供給口カバーの先端側が浮上する様になっている。この様な構成により、特許文献１記載の記録装置では、用紙供給口カバーを閉じたままスキャナユニットを開くことに起因する、用紙供給口カバーの破損を防止している。
【０００６】
しかしながら、ユーザーによっては、スキャナユニットに設けられた原稿カバーを開いた状態のまま、スキャナユニットを開く操作を行う場合がある。この場合、用紙供給口カバーが、原稿カバーをユーザーの意図に反して閉じてしまう場合がある。また、用紙供給口カバーが原稿カバーに対して突き当たる様な角度姿勢となる為、スキャナユニットの開放によって用紙供給口カバーを破損させてしまう虞がある。特許文献１記載の記録装置では、この様な問題については特段考慮はされていない。
【０００７】
その一方で、上述の問題を回避する為に、用紙供給口カバーと原稿カバーとが干渉しないように両者を大きく離すことも考え得るが、この場合両者が閉じた状態において両者の間に大きな隙間が形成されてしまい、外観上好ましくない。
【０００８】
上記問題点に鑑み、本発明の目的は、媒体供給口を開閉する媒体供給口カバーと、原稿台を開閉する原稿カバーと、を備えた記録装置において、両カバーを大きく離すことなく、少なくともいずれかのカバーの破損を抑制或いは回避することにある。
【課題を解決するための手段】
【０００９】
上記課題を解決するため、本発明の第１の態様に係る記録装置は、媒体に記録を行う記録手段を備える装置本体の上部に設けられ、媒体をセット可能な媒体供給口と、前記装置本体の上部において開閉可能に設けられた、原稿を読み取る読み取り機構部と、前記媒体供給口を開閉する、前記装置本体に設けられた媒体供給口カバーと、前記読み取り機構部が備える原稿台を開閉するカバーであって、前記媒体供給口カバーと開き方向が同じである、前記読み取り機構部に設けられた原稿カバーと、を備え、前記原稿カバーと前記媒体供給口カバーは、前記読み取り機構部及び前記媒体供給口カバーが閉じるとともに前記原稿カバーが開いた状態から、前記読み取り機構部が開く過程において、前記媒体供給口カバーの先端が前記原稿カバーに当接する位置関係にあるとともに、前記原稿カバーが前記媒体供給口カバーに開き方向の外力を付与することを特徴とする。
【００１０】
本態様によれば、前記原稿カバーと前記媒体供給口カバーは、前記読み取り機構部及び前記媒体供給口カバーが閉じるとともに前記原稿カバーが開いた状態から、前記読み取り機構部が開く過程において、前記媒体供給口カバーの先端が前記原稿カバーに当接する位置関係にあるとともに、前記原稿カバーが前記媒体供給口カバーに開き方向の外力を付与するので、前記読み取り機構部及び前記媒体供給口カバーが閉じるとともに前記原稿カバーが開いた状態から、前記読み取り機構部を開く際の、前記媒体供給口カバーの破損を抑制或いは回避できる。また、その結果、前記原稿カバーと前記媒体供給口カバーとを大きく離す必要がなくなり、良好な装置の外観を実現できる。
【００１１】
本発明の第２の態様は、第１の態様において、前記読み取り機構部及び前記媒体供給口カバーが閉じるとともに前記原稿カバーが開いた状態から、前記読み取り機構部が開く過程において、前記原稿カバーが前記媒体供給口カバーから受ける反力が、前記原稿カバーが閉じる為に必要な大きさを超えないことを特徴とする。
【００１２】
本態様によれば、前記読み取り機構部及び前記媒体供給口カバーが閉じるとともに前記原稿カバーが開いた状態から、前記読み取り機構部が開く過程において、前記原稿カバーが前記媒体供給口カバーから受ける反力が、前記原稿カバーが閉じる為に必要な大きさを超えないので、前記読み取り機構部及び前記媒体供給口カバーが閉じるとともに前記原稿カバーが開いた状態から、前記読み取り機構部が開く過程において、意図せず前記原稿カバーが閉じてしまう問題を回避できる。
【００１３】
本発明の第３の態様は、第１のまたは第２の態様において、前記原稿カバー及び前記媒体供給口カバーと係合可能であるとともに揺動可能な揺動部材を備え、前記読み取り機構部並びに前記原稿カバー及び前記媒体供給口カバーが閉じた状態から前記原稿カバーを開くと、前記揺動部材が揺動して前記媒体供給口カバーを押し上げる構成であることを特徴とする。
【００１４】
本態様によれば、前記読み取り機構部並びに前記原稿カバー及び前記媒体供給口カバーが閉じた状態から前記原稿カバーを開くと、前記揺動部材が揺動して前記媒体供給口カバーを押し上げる構成であるので、前記原稿カバーが開いた際に予め前記媒体供給口カバーも或る程度開いておくことで、前記読み取り機構部を開く際の、前記原稿カバーに対する前記媒体供給口カバーの当接角度をより緩やかにすることができる。  
その結果、前記読み取り機構部並びに前記原稿カバー及び前記媒体供給口カバーが閉じた状態から、前記読み取り機構部を開く際の、前記媒体供給口カバーの破損をより確実に抑制或いは回避できる。
【００１５】
本発明の第４の態様は、第１から第３の態様のいずれかにおいて、前記読み取り機構部及び前記媒体供給口カバーが閉じるとともに前記原稿カバーが開いた状態から、前記読み取り機構部を開く過程において、前記媒体供給口カバーが前記原稿カバーに当接する当接位置から前記原稿カバーの回動軸側の前記原稿カバーの上面と、前記媒体供給口カバーの上面との成す角度が、鋭角であることを特徴とする。
【００１６】
本態様によれば、前記読み取り機構部及び前記媒体供給口カバーが閉じるとともに前記原稿カバーが開いた状態から、前記読み取り機構部を開く過程において、前記媒体供給口カバーが前記原稿カバーに当接する当接位置から前記原稿カバーの回動軸側の前記原稿カバーの上面と、前記媒体供給口カバーの上面との成す角度が、鋭角であるので、前記媒体供給口カバーがより一層円滑に開くことができ、その結果前記媒体供給口カバーの破損をより確実に抑制或いは回避できる。
【００１７】
本発明の第５の態様は、第１から第４の態様のいずれかにおいて、前記媒体供給口カバーの先端に第１斜面が形成され、前記原稿カバーの基端側には、前記第１斜面と対向する第２斜面が形成され、前記読み取り機構部、前記原稿カバー、前記媒体供給口カバー、のこれらが閉じた状態から、前記読み取り機構部が開く際に、前記第２斜面が、前記第１斜面を、前記媒体供給口カバーが開く方向に押し上げる構成を備えることを特徴とする。
【００１８】
本態様によれば、前記読み取り機構部、前記原稿カバー、前記媒体供給口カバー、のこれらが閉じた状態から、前記読み取り機構部が開く際に、前記第２斜面が、前記第１斜面を、前記媒体供給口カバーが開く方向に押し上げる構成を備えるので、前記読み取り機構部、前記原稿カバー、前記媒体供給口カバー、のこれらが閉じた状態から、前記読み取り機構部が開く際の、前記媒体供給口カバーの破損を抑制或いは回避できる。
【００１９】
本発明の第６の態様は、第５の態様において、前記原稿カバー及び前記媒体供給口カバーの平面視において、前記第２斜面の少なくとも一部は、前記第１斜面と重なっていることを特徴とする。  
本態様によれば、前記原稿カバー及び前記媒体供給口カバーの平面視において、前記第２斜面の少なくとも一部は、前記第１斜面と重なっているので、前記原稿カバー及び前記媒体供給口カバーの平面視において前記原稿カバー及び前記媒体供給口カバーの内側、即ち前記装置本体の上部が露呈せず、良好な装置外観を実現できる。
【００２０】
本発明の第７の態様に係る記録装置は、媒体に記録を行う記録手段を備える装置本体の上部に設けられ、媒体をセット可能な媒体供給口と、前記装置本体の上部において開閉可能に設けられた、原稿を読み取る読み取り機構部と、前記媒体供給口を開閉する、前記装置本体に設けられた媒体供給口カバーと、前記読み取り機構部が備える原稿台を開閉するカバーであって、前記媒体供給口カバーと開き方向が同じである、前記読み取り機構部に設けられた原稿カバーと、を備え、前記媒体供給口カバーは、回動軸線方向と交差する方向にスライド可能であり、前記原稿カバーと前記媒体供給口カバーは、前記読み取り機構部及び前記媒体供給口カバーが閉じるとともに前記原稿カバーが開いた状態から、前記読み取り機構部が開く過程において、前記媒体供給口カバーの先端が前記原稿カバーに当接する位置関係にあるとともに、前記原稿カバーが前記媒体供給口カバーをスライドさせる構成であることを特徴とする。
【００２１】
本態様によれば、前記媒体供給口カバーは、回動軸線方向と交差する方向にスライド可能であり、前記原稿カバーと前記媒体供給口カバーは、前記読み取り機構部及び前記媒体供給口カバーが閉じるとともに前記原稿カバーが開いた状態から、前記読み取り機構部が開く過程において、前記媒体供給口カバーの先端が前記原稿カバーに当接する位置関係にあるとともに、前記原稿カバーが前記媒体供給口カバーをスライドさせる構成であるので、前記読み取り機構部及び前記媒体供給口カバーが閉じるとともに前記原稿カバーが開いた状態から、前記読み取り機構部を開く際の、前記媒体供給口カバーの破損を抑制或いは回避できる。また、その結果、前記原稿カバーと前記媒体供給口カバーとを大きく離す必要がなくなり、適切な装置の外観を実現できる。
【００２２】
本発明の第８の態様は、第１から第７の態様のいずれかにおいて、前記媒体供給口カバーの上面と前記原稿カバーの上面とが面一であることを特徴とする。  
本態様によれば、前記媒体供給口カバーの上面と前記原稿カバーの上面とが面一であるので、より良好な装置外観を実現できる。
【図面の簡単な説明】
【００２３】
【図１】本発明に係るプリンターの外観斜視図。
【図２】本発明に係るプリンターにおいて排出トレイを展開させた状態の斜視図。
【図３】本発明に係るプリンターにおける媒体搬送経路を示す側断面図。
【図４】プリンターにおいて原稿カバーの開いた状態を示す斜視図。
【図５】原稿カバーの斜視図。
【図６】読み取り機構部と原稿カバーとを接続するヒンジ部の斜視図。
【図７】ヒンジ部の斜視図。
【図８】プリンターにおける媒体供給口カバーの開いた状態を示す斜視図。
【図９】プリンターにおいて媒体供給口が閉じた状態を示す側断面図。
【図１０】プリンターにおいて媒体供給口が開いた状態を示す側断面図。
【図１１】プリンターにおいて読み取り機構部の開いた状態を示す外観斜視図。
【図１２】読取機構部が閉じた状態における原稿カバーと媒体供給口カバーとの関係を示す側面図。
【図１３】読取機構部を回動させた状態における原稿カバーと媒体供給口カバーとの関係を示す側面図。
【図１４】読取機構部を回動させた状態における原稿カバーと媒体供給口カバーとの関係を示す側面図。
【図１５】揺動部材の揺動前の状態を示す側断面図。
【図１６】揺動部材の揺動前の状態における装置本体上部の斜視図。
【図１７】揺動部材の揺動後の状態を示す側断面図。
【図１８】揺動部材の揺動後の状態における装置本体上部の斜視図。
【図１９】第２の状態における揺動部材が媒体供給口カバーを持ち上げた状態を示す斜視図。
【図２０】原稿カバーを開いた状態で読み取り機構部を回動させた状態を示す側断面図。
【図２１】図２０の状態から更に装置背面側に読み取り機構部を回動させた状態を示す側断面図。
【図２２】第２の実施例に係る原稿カバーと媒体供給口カバーとの関係を示す側面図。
【図２３】第２の実施例における媒体供給口カバーの構成の概要図。
【図２４】第２の実施例において原稿カバーを開いた状態で読み取り機構部を回動させた際における原稿カバーと媒体供給口カバーとの関係を示す側面図。
【発明を実施するための形態】
【００２４】
以下、本発明の実施の形態を図面に基づいて説明する。尚、各実施例において同一の構成については、同一の符号を付し、最初の実施例においてのみ説明し、以後の実施例においてはその構成の説明を省略する。
【００２５】
図１は本発明に係るプリンターの外観斜視図であり、図２は本発明に係るプリンターにおいて排出トレイを展開させた状態の斜視図であり、図３は本発明に係るプリンターにおける媒体搬送経路を示す側断面図であり、図４はプリンターにおいて原稿カバーの開いた状態を示す斜視図であり、図５は原稿カバーの斜視図であり、図６は読み取り機構部と原稿カバーとを接続するヒンジ部の斜視図である。
【００２６】
図７はヒンジ部の斜視図であり、図８はプリンターにおける媒体供給口カバーの開いた状態を示す斜視図であり、図９はプリンターにおいて媒体供給口が閉じた状態を示す側断面図であり、図１０はプリンターにおいて媒体供給口が開いた状態を示す側断面図であり、図１１はプリンターにおいて読み取り機構部の開いた状態を示す外観斜視図であり、図１２は読取機構部が閉じた状態における原稿カバーと媒体供給口カバーとの関係を示す側面図である。
【００２７】
図１３は読取機構部を回動させた状態における原稿カバーと媒体供給口カバーとの関係を示す側面図であり、図１４は読取機構部を回動させた状態における原稿カバーと媒体供給口カバーとの関係を示す側面図であり、図１５は揺動部材の揺動前の状態を示す側断面図であり、図１６は揺動部材の揺動前の状態における装置本体上部の斜視図であり、図１７は揺動部材の揺動後の状態を示す側断面図であり、図１８は揺動部材の揺動後の状態における装置本体上部の斜視図である。
【００２８】
図１９は第２の状態における揺動部材が媒体供給口カバーを持ち上げた状態を示す斜視図であり、図２０は原稿カバーを開いた状態で読み取り機構部を回動させた状態を示す側断面図であり、図２１は図２０の状態から更に装置背面側に読み取り機構部を回動させた状態を示す側断面図であり、図２２は第２の実施例に係る原稿カバーと媒体供給口カバーとの関係を示す側面図であり、図２３は第２の実施例における媒体供給口カバーの構成の概要図であり、図２４は第２の実施例において原稿カバーを開いた状態で読み取り機構部を回動させた際における原稿カバーと媒体供給口カバーとの関係を示す側面図である。
【００２９】
また、各図において示すＸ−Ｙ−Ｚ座標系はＸ方向がキャリッジの主走査方向（移動方向）、すなわち記録装置の幅方向、Ｙ方向が媒体搬送方向、すなわち記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００３０】
■■■第１実施例■■■■
＜＜＜プリンターの概要＞＞＞
図１を参照するに、プリンター１０は、装置本体１２と、装置本体１２の上部に設けられた、読み取り機構部１４とを備えている。装置本体１２の装置前面側には操作部１６が装置本体１２に対して回動（チルト）可能に設けられている。操作部１６は装置本体１２に対して閉じた姿勢（図１参照）と、装置本体１２に対して装置前面側に回動した姿勢（図２参照）とを切換え可能に構成されている。操作部１６には表示パネル等の表示手段１８が設けられている。
【００３１】
装置本体１２の装置前面側において操作部１６の下方には前面カバー２０が配置されている。また、装置本体１２には排紙トレイ２２が設けられている。排紙トレイ２２は、装置本体１２内に収容された状態（図１参照）と装置本体１２の装置前面側に展開した状態（図２参照）とを切換え可能に構成されている。
【００３２】
また、装置本体１２の背面側の上部には媒体供給口カバー２４が回動可能に取り付けられている。媒体供給口カバー２４は、図１に示す装置本体１２に対して閉じた状態と、図２に示す装置本体１２に対して開いた状態とを切換え可能に構成されている。尚、媒体供給口カバー２４を閉じると、装置本体１２の上面の一部、具体的には装置奥行き方向において背面側の上面を構成する。
【００３３】
媒体供給口カバー２４を開くと、装置本体１２の上部背面側に被記録媒体をセットする媒体供給口２６が露出する。そして、矢印Ａの向きに被記録媒体を媒体供給口２６に差し入れることができ、差し入れられた媒体は、図３に示す傾斜した媒体案内経路２８に案内されて、搬送方向下流側に送られる。
【００３４】
＜＜＜媒体搬送経路について＞＞＞
次いで、図３を参照して装置本体１２における被記録媒体の媒体搬送経路３０について説明する。図３において符号Ｐが付された太い実線は、カセット３２から排紙トレイ２２までの媒体搬送経路３０に沿って搬送される媒体の案内経路を示している。
【００３５】
装置本体１２の下部には、被記録媒体を収容するカセット３２が設けられている。カセット３２は、箱状に形成され、その内部に被記録媒体が収容可能である。さらに、装置本体１２内には、媒体搬送経路３０に沿ってピックアップローラー３４、反転ローラー３６、従動ローラー３８ａ、３８ｂ、３８ｃ、搬送ローラー対４０、記録部４２及び排出ローラー対４４の順に設けられている。ピックアップローラー３４は、回動軸４６を支点に回動可能に、カセット３２の上方に配置されている。そして、ピックアップローラー３４によりカセット３２から給送された被記録媒体は、反転ローラー３６と従動ローラー３８ａ、３８ｂとにニップされて、搬送ローラー対４０に搬送される。
【００３６】
搬送ローラー対４０は被記録媒体を記録部４２に搬送する。記録部４２は、キャリッジ４８と、「記録手段」としての記録ヘッド５０と、媒体案内部材５２とを備えている。キャリッジ４８は、装置幅方向に往復動可能に構成されている。そして、キャリッジ４８の下部には、記録ヘッド５０が設けられている。記録ヘッド５０は装置高さ方向下方側に向けてインクを吐出するように構成されている。
【００３７】
また、記録ヘッド５０の下方において、記録ヘッド５０と対向する領域に媒体案内部材５２が設けられている。媒体案内部材５２は、記録ヘッド５０と対向し、記録ヘッド５０と間隔をおいて配置されている。媒体案内部材５２は、搬送ローラー対４０により記録ヘッド５０と対向する領域に搬送されてきた被記録媒体の下面（記録面と反対側の面）を支持する。そして、記録ヘッド５０は、媒体案内部材５２により支持された被記録媒体に対してインクを吐出し、被記録媒体の記録面に記録を実行する。
【００３８】
そして、記録が実行された被記録媒体は、記録部４２の搬送方向下流側に設けられた排出ローラー対４４にニップされて、装置前面側に突出している排紙トレイ２２（図２参照）に向けて排紙される。
【００３９】
また、媒体供給口カバー２４を開いて、プリンター１０の上方から媒体供給口２６に差し入れられた被記録媒体は、媒体案内経路２８に案内されて記録部４２に搬送され、記録部４２において記録が行われる。そして、記録が行われた後、排紙トレイ２２に排出される。
【００４０】
また、記録部４２において被記録媒体の第１面（記録面）に記録が実行された後、第１面と反対の側の第２面（下面）に記録を行う場合、搬送ローラー対４０を逆転させて、被記録媒体を搬送方向上流側に搬送する。搬送方向上流側に搬送される被記録媒体は、反転ローラー３６と従動ローラー３８ｃとにニップされる。そして、被記録媒体は反転ローラー３６により、第１面と第２面とを反転させられて、再度記録部４２に搬送され、記録部４２において第２面の記録が実行された後、排紙トレイ２２に向けて排出される。
【００４１】
＜＜＜読み取り機構部について＞＞＞
次いで、図３ないし図７を参照して、読み取り機構部１４について説明する。図３及び図４に示すように装置本体１２の上部には読み取り機構部１４が設けられている。読み取り機構部１４は、スキャナーとして構成されている。読み取り機構部１４は、本体部５４（図１１も参照）と、本体部５４の上部に設けられた原稿台５６（図４参照）と、原稿カバー５８とを備えている。原稿台５６は、一例として透明なガラス板で形成され、その上面に原稿を載置可能に構成されている。
【００４２】
また、原稿カバー５８は、図５及び図６に示すように平板状の部材として形成されている。そして、原稿カバー５８の装置奥行き方向背面側の端部には軸受５８ａが形成されている。また、図７にはヒンジ６０が示されている。ヒンジ６０は、互いに対向する一対の回動軸６０ａを備えている。回動軸６０ａは、原稿カバー５８の軸受５８ａに受け入れられている。つまり、原稿カバー５８は、回動軸６０ａを支点としてヒンジ６０に対して回動可能である。
【００４３】
また、図６に示すように、ヒンジ６０は、読み取り機構部１４の本体部５４に対し上から下に向けて挿入されている。ヒンジ６０は、一例として本体部５４に対してスナップフィットにより接続されている。つまり、原稿カバー５８は、本体部５４に対してヒンジ６０により回動可能に連結されている。  
そして、原稿カバー５８に所定以上の外力が加わった際、例えば、媒体供給口カバー２４が回動しないように押さえられた状態で原稿カバー５８を開こうとすると、ヒンジ６０と本体部５４との係合状態、即ちスナップフィットが解除されて、ヒンジ６０が上に抜けて、原稿カバー５８の破損を抑制、あるいは回避する。尚、本体部５４に対するヒンジ６０の取付構造の詳細については割愛する。
【００４４】
また、原稿カバー５８は、装置奥行き方向背面側および前面側に回動することにより原稿台５６を開閉する。つまり、原稿カバー５８は、媒体供給口カバー２４と開き方向が同じである。そして、原稿カバー５８は、閉じた状態（図１及び図２参照）では、原稿台５６を覆っており、開いた状態（図４参照）では原稿台５６を露出させる。原稿カバー５８は、一例として、原稿カバー５８が閉じた状態において、プリンター１０において装置奥行き方向前面側の上面を構成する。尚、図１に示すように、本実施例では、閉じた状態の媒体供給口カバー２４の上面２４ｅと、閉じた状態の原稿カバー５８の上面５８ｄとが面一となるように構成されている。これにより、プリンター１０における良好な外観を実現できる。
【００４５】
そして、原稿カバー５８を開いて、原稿台５６を露出させ、その上面に原稿をセットし、原稿カバー５８を閉じることで、原稿台５６において原稿の読み取りが可能となる。尚、原稿台５６の下方、すなわち本体部５４内には原稿台５６にセットされた原稿を読み取り可能な読み取り手段（不図示）が設けられている。
【００４６】
また、本実施例において、読み取り機構部１４には、本体部５４の装置奥行き方向背面側寄りに不図示の回動軸が設けられている。そして、読み取り機構部１４は、回動軸を介して回動可能に装置本体１２に連結されている。読み取り機構部１４は、装置本体１２に対して閉じた姿勢（図１及び図２参照）と、装置本体１２に対して回動し、開いた姿勢（図１１参照）とを切換え可能に構成されている。
【００４７】
＜＜＜媒体供給口カバーについて＞＞＞
図８ないし図１０を参照して媒体供給口カバー２４について説明する。図８に示すように、媒体供給口カバー２４は、装置本体１２の背面側端部の上部に装置本体１２に対して回動可能に取り付けられている。より具体的には、媒体供給口カバー２４と装置本体１２とは、ヒンジ６２を介して連結されている。一例として、媒体供給口カバー２４には、軸受２４ａが設けられ、ヒンジ６２には回動軸６２ａが設けられている。そして、軸受２４ａに回動軸６２ａが嵌合している。
【００４８】
また、図９及び図１０を参照するに、ヒンジ６２は、装置本体１２の背面側端部に設けられたヒンジ取付部１２ａに取り付けられている。そして、ヒンジ６２は、ヒンジ取付部１２ａに対して装置高さ方向に沿って上下動可能に構成されている。また、ヒンジ６２と装置本体１２との間には、付勢手段６４が設けられている。付勢手段６４は一例として圧縮コイルばねとして構成されている。付勢手段６４の一端はヒンジ６２と係合し、他端は、装置本体１２に設けられた付勢手段取付部１２ｂと係合している。そして、付勢手段６４は、ヒンジ６２を装置高さ方向下方側に向けて付勢している。
【００４９】
ここで、図９に示すように、媒体供給口カバー２４が閉じた状態では、ヒンジ６２は装置本体１２内のヒンジ取付部１２ａに引き込まれた状態となっている。そして、図１０に示すように媒体供給口カバー２４を開くと、媒体供給口カバー２４の装置奥行き方向側の端部２４ｂが、装置本体１２の装置奥行き方向側端部の上部１２ｃと接触する。そして、媒体供給口カバー２４を装置奥行き方向背面側に更に開くと、端部２４ｂと上部１２ｃとの接触点を支点にヒンジ６２が装置高さ方向上に持ち上げられる。
【００５０】
この状態では、ヒンジ６２は付勢手段６４の付勢力により装置高さ方向下方側に付勢されている。これにより、媒体供給口カバー２４の端部２４ｂは、装置本体１２の上部１２ｃを押圧することとなる。その結果、媒体供給口カバー２４は装置本体１２に対して開いた状態を維持する。また、媒体供給口カバー２４は、装置本体１２に対して閉じた姿勢のまま、付勢手段６４の付勢力に抗して装置高さ方向上方側に変位させることも可能である。
【００５１】
＜＜＜媒体供給口カバーと原稿台カバーとの関係について＞＞＞
次いで、図１１ないし図１４を参照して、媒体供給口カバー２４及び原稿カバー５８が閉じた状態において読み取り機構部１４を開いた際における媒体供給口カバー２４と原稿カバー５８との関係について説明する。読み取り機構部１４は、図１１に示すように、装置本体１２に対して回動可能に構成されている。
【００５２】
ここで、図１２は、読み取り機構部１４が閉じた状態を示している。そして、媒体供給口カバー２４の装置奥行き方向前面側の端部には第１斜面２４ｃが形成されている。第１斜面２４ｃは、装置奥行き方向前面側から背面側に向かうとともに装置高さ方向上方側から下方側に向けて傾斜するように構成されている。
【００５３】
また、原稿カバー５８の装置奥行き方向背面側端部には第２斜面５８ｂが形成されている。第２斜面５８ｂも、装置奥行き方向前面側から背面側に向かうとともに装置高さ方向上方側から下方側に向けて傾斜するように構成されている。そして、第１斜面２４ｃと第２斜面５８ｂとは、互いに対向している。また、一例として、第１斜面２４ｃと第２斜面５８ｂとは、平行に形成されている。そして、図１２に示すように、読み取り機構部１４が閉じた状態では、第１斜面２４ｃと第２斜面５８ｂとは、わずかに隙間を開けて離間している。
【００５４】
また、図１２から明かなように、原稿カバー５８及び媒体供給口カバー２４を平面視した際（プリンター１０を上側から見た際）、第２斜面５８ｂの少なくとも一部は、装置高さ方向において第１斜面２４ｃと重なって見える。したがって、プリンター１０を上方から見た際、媒体供給口カバー２４及び原稿カバー５８の内側、すなわち装置本体１２の上部が露呈しないので、プリンター１０の良好な外観を実現できる。
【００５５】
図１３に示すように、媒体供給口カバー２４及び原稿カバー５８が閉じた状態において読み取り機構部１４を開くと、第１斜面２４ｃと第２斜面５８ｂとが当接する。そして、読み取り機構部１４の回動に伴って、第２斜面５８ｂが第１斜面２４ｃを装置高さ方向上方側に押し上げる。
【００５６】
ここで、媒体供給口カバー２４は付勢手段６４の付勢力に抗して装置高さ方向において変位可能に構成されている。そして、図１４に示すように、さらに読み取り機構部１４を装置奥行き方向背面側に回動させると、第２斜面５８ｂは、媒体供給口カバー２４の開く方向に第１斜面２４ｃを押し上げる。そして、読み取り機構部１４が装置本体１２に対して所定の角度以上に開くと、媒体供給口カバー２４の第１斜面２４ｃが原稿カバー５８の上面に乗り上げる。
【００５７】
つまり、媒体供給口カバー２４及び原稿カバー５８が閉じた状態において読み取り機構部１４を開くと、原稿カバー５８に対して媒体供給口カバー２４が逃げる構成なので、原稿カバー５８と媒体供給口カバー２４とが干渉して少なくとも一方のカバーが破損する虞を低減できる。
【００５８】
＜＜＜揺動部材について＞＞＞
次いで図１５ないし図２１を参照して揺動部材６６について説明する。図１５に示すように装置本体１２の背面側端部には、揺動部材６６が設けられている。揺動部材６６は装置本体１２の背面側端部において、媒体供給口カバー２４及び原稿カバー５８の下方に位置している。揺動部材６６は装置本体１２内において、揺動軸６６ａを揺動中心として揺動可能に設けられている。また、揺動部材６６は、揺動軸６６ａに対して装置奥行き方向前面側に設けられた被係合部６６ｂと、揺動軸６６ａに対して装置奥行き方向背面側に設けられた係合部６６ｃと、を備えている。
【００５９】
また、図１６に示すように、装置本体１２の装置奥行き方向背面側端部の上部には、スリット６８が設けられている。スリット６８は、一例として、装置奥行き方向背面側端部において装置幅方向右側端部に形成されている。そして、スリット６８は、揺動部材６６の係合部６６ｃが突出可能な大きさに設定されている。尚、図１６において媒体供給口カバー２４の図示を省略している。
【００６０】
図１５及び図１６に示すように、原稿カバー５８が閉じた状態では、原稿カバー５８の装置奥行き方向背面側端部、すなわち基端側に設けられた係合部５８ｃと揺動部材６６の被係合部６６ｂは原稿カバー５８と離間した状態にある。この状態では、揺動部材６６は揺動していない状態であるので、係合部６６ｃがスリット６８から突出していない。そのため、係合部６６ｃが媒体供給口カバー２４と接していないので、媒体供給口カバー２４は装置本体１２に対して閉じた状態にある。
【００６１】
図１７を参照するに、原稿カバー５８を開くと、原稿カバー５８の係合部５８ｃがヒンジ６０の回動軸６０ａを回動中心として図１７における時計回り方向に回動する。そして、係合部５８ｃは、揺動部材６６の被係合部６６ｂと当接し、被係合部６６ｂを押圧する。その結果、揺動部材６６は揺動軸６６ａを揺動中心として図１７における反時計回り方向に揺動する。その結果、揺動部材６６の係合部６６ｃは、スリット６８から装置高さ方向上方側へ突出する（図１８参照）。
【００６２】
そして、係合部６６ｃがスリット６８から突出する際、係合部６６ｃは媒体供給口カバー２４の底面２４ｄと係合し、図１９に示すように媒体供給口カバー２４を開く方向に押し上げる。
【００６３】
図２０を参照するに、さらに読み取り機構部１４を開くと、原稿カバー５８の上面５８ｄと媒体供給口カバー２４の装置奥行き方向前面側端部とが当接する。
【００６４】
ここで、図２０において角度αは、原稿カバー５８と媒体供給口カバー２４との当接位置Ｓ１から原稿カバー５８の回動軸側の上面５８ｄ′（図２０において当接位置Ｓ１から下方側に位置する原稿カバー５８の上面）と、媒体供給口カバー２４の上面２４ｅとの成す角度である。そして、角度αは、一例として鋭角に設定されている。このため、図２１に示すように、原稿カバー５８が開いた状態で読み取り機構部１４をさらに開いた際、角度αが鋭角に設定されているので、原稿カバー５８が媒体供給口カバー２４を開く方向に押すこととなる。つまり、原稿カバー５８は媒体供給口カバー２４に開き方向の外力を付与している。
【００６５】
また、原稿カバー５８が媒体供給口カバー２４から受ける反力の大きさは、一例として原稿カバー５８が開いた状態から閉じるために必要な大きさを超えないように設定されている。これにより、原稿カバー５８が開いた状態で読み取り機構部１４を開いた際、媒体供給口カバー２４が意図せず閉じることを抑制し、媒体供給口カバー２４を円滑に開くことができる。
【００６６】
そして、媒体供給口カバー２４と原稿カバー５８とが接触した状態で読み取り機構部１４を開いた際、媒体供給口カバー２４が原稿カバー５８に対して突っ張った状態となることを抑制、或いは回避できるので、媒体供給口カバー２４及び原稿カバー５８の少なくとも一方が破損することを防止できる。
【００６７】
＜＜＜第１実施例の変更例＞＞＞
揺動部材６６における被係合部６６ｂ及び係合部６６ｃの形状を適宜変更することにより、原稿カバー５８と被係合部６６ｂとの接触のタイミング及び係合部６６ｃと媒体供給口カバー２４との接触のタイミングを適宜変更できる。これにより、原稿カバー５８の開くタイミングに対する媒体供給口カバー２４の開くタイミングを適宜設定できる。
【００６８】
■■■第２実施例■■■■
次いで図２２ないし図２４を参照して第２実施例について説明する。図２２及び図２３を参照するに、装置本体１２の背面側端部には媒体供給口カバー７０が取り付けられている。媒体供給口カバー７０には装置幅方向に延びる長穴７０ａが形成されている。そして、長穴７０ａには、ヒンジ６２の回動軸６２ａが挿入されている。また、長穴７０ａには、回動軸６２ａを装置奥行き方向背面側に付勢する付勢手段７２が設けられている。尚、付勢手段７２は、圧縮コイルばねとして構成されている。
【００６９】
ここで、媒体供給口カバー７０に装置奥行き方向背面側へ向けて外力（図２３における矢印Ｂ参照）が加わると、回動軸６２ａは、長穴７０ａ内において付勢手段７２の付勢力に抗して長穴７０ａ内を媒体供給口カバー７０に対して装置奥行き方向前面側に相対移動する。すなわち、回動軸６２ａは、長穴７０ａに対して矢印Ｃの方向に移動する。これにより、媒体供給口カバー７０は回動軸６２ａに対して装置奥行き方向背面側にスライドする。
【００７０】
また、媒体供給口カバー７０に加わっていた装置奥行き方向背面側への外力（矢印Ｂの向きの力）が解消すると、付勢手段７２の付勢力により媒体供給口カバー７０は装置奥行き方向前面側にスライドし、元の状態に戻る。
【００７１】
また、ヒンジ６２は、第１実施例と同様に付勢手段６４の一端と係合している。また、付勢手段６４の他端は付勢手段取付部１２ｂと係合している。そして、付勢手段６４は、ヒンジ６２を装置高さ方向下方側に付勢している。そして、媒体供給口カバー７０は、第１実施例と同様に装置本体１２に対して装置高さ方向に変位可能である。
【００７２】
図２４に示すように原稿カバー５８が開いた状態で読み取り機構部１４を開くと、原稿カバー５８の上面５８ｄと媒体供給口カバー７０の装置奥行き方向前面側の先端７０ｂとが接触する。そして、読み取り機構部１４をさらに装置奥行き方向背面側に開くと、原稿カバー５８が媒体供給口カバー７０を装置奥行き方向に押圧する。
【００７３】
これにより、媒体供給口カバー７０は、原稿カバー５８により付勢手段７２の付勢力に抗して装置奥行き方向背面側にスライドさせられる。その結果、原稿カバー５８が開いた状態において読み取り機構部１４を開いても、媒体供給口カバー７０の破損を抑制、あるいは防止できる。
【００７４】
上記説明をまとめると、プリンター１０は、媒体に記録を行う記録ヘッド５０を備える装置本体１２の上部に設けられ、媒体をセット可能な媒体供給口２６と、装置本体１２の上部において開閉可能に設けられた、原稿を読み取る読み取り機構部１４と、媒体供給口２６を開閉する、装置本体１２に設けられた媒体供給口カバー２４と、読み取り機構部１４が備える原稿台５６を開閉するカバーであって、媒体供給口カバー２４と開き方向が同じである、読み取り機構部１４に設けられた原稿カバー５８と、を備え、原稿カバー５８と媒体供給口カバー２４は、読み取り機構部１４及び媒体供給口カバー２４が閉じるとともに原稿カバー５８が開いた状態から、読み取り機構部１４が開く過程において、媒体供給口カバー２４の先端が原稿カバー５８に当接する位置関係にあるとともに、原稿カバー５８が媒体供給口カバー２４に開き方向の外力を付与する。
【００７５】
上記構成によれば、原稿カバー５８と媒体供給口カバー２４は、読み取り機構部１４及び媒体供給口カバー２４が閉じるとともに原稿カバー５８が開いた状態から、読み取り機構部１４が開く過程において、媒体供給口カバー２４の先端が原稿カバー５８に当接する位置関係にあるとともに、原稿カバー５８が媒体供給口カバー２４に開き方向の外力を付与するので、読み取り機構部１４及び媒体供給口カバー２４が閉じるとともに原稿カバー５８が開いた状態から、読み取り機構部１４を開く際の、媒体供給口カバー２４の破損を抑制或いは回避できる。また、その結果、原稿カバー５８と媒体供給口カバー２４とを大きく離す必要がなくなり、良好な装置の外観を実現できる。
【００７６】
読み取り機構部１４及び媒体供給口カバー２４が閉じるとともに原稿カバー５８が開いた状態から、読み取り機構部１４が開く過程において、原稿カバー５８が媒体供給口カバー２４から受ける反力が、原稿カバー５８が閉じる為に必要な大きさを超えない。この構成によれば、読み取り機構部１４及び媒体供給口カバー２４が閉じるとともに原稿カバー５８が開いた状態から、読み取り機構部１４が開く過程において、意図せず原稿カバー５８が閉じてしまう問題を回避できる。
【００７７】
プリンター１０は、原稿カバー５８及び媒体供給口カバー２４と係合可能であるとともに揺動可能な揺動部材６６を備え、読み取り機構部１４並びに原稿カバー５８及び媒体供給口カバー２４が閉じた状態から原稿カバー５８を開くと、揺動部材６６が揺動して媒体供給口カバー２４を押し上げる構成である。この構成によれば、原稿カバー５８が開いた際に予め媒体供給口カバー２４も或る程度開いておくことで、読み取り機構部１４を開く際の、原稿カバー５８に対する媒体供給口カバー２４の当接角度をより緩やかにすることができる。その結果、読み取り機構部１４並びに原稿カバー５８及び媒体供給口カバー２４が閉じた状態から、読み取り機構部１４を開く際の、媒体供給口カバー２４の破損をより確実に抑制或いは回避できる。
【００７８】
読み取り機構部１４及び媒体供給口カバー２４が閉じるとともに原稿カバー５８が開いた状態から、読み取り機構部１４を開く過程において、媒体供給口カバー２４が原稿カバー５８に当接する当接位置Ｓ１から原稿カバー５８の回動軸側の原稿カバー５８の上面５８ｄ′と、媒体供給口カバー２４の上面２４ｅとの成す角度αが、鋭角である。この構成によれば、媒体供給口カバー２４がより一層円滑に開くことができ、その結果媒体供給口カバー２４の破損をより確実に抑制或いは回避できる。
【００７９】
媒体供給口カバー２４の先端に第１斜面２４ｃが形成され、原稿カバー５８の基端側には、第１斜面２４ｃと対向する第２斜面５８ｂが形成され、読み取り機構部１４、原稿カバー５８、媒体供給口カバー２４、のこれらが閉じた状態から、読み取り機構部１４が開く際に、第２斜面５８ｂが、第１斜面２４ｃを、媒体供給口カバー２４が開く方向に押し上げる構成を備える。この構成によれば、読み取り機構部１４、原稿カバー５８、媒体供給口カバー２４、のこれらが閉じた状態から、読み取り機構部１４が開く際の、媒体供給口カバー２４の破損を抑制或いは回避できる。
【００８０】
原稿カバー５８及び媒体供給口カバー２４の平面視において、第２斜面５８ｂの少なくとも一部は、第１斜面２４ｃと重なっている。この構成によれば、原稿カバー５８及び媒体供給口カバー２４の平面視において原稿カバー５８及び媒体供給口カバー２４の内側、即ち装置本体１２の上部が露呈せず、良好な装置外観を実現できる。
【００８１】
プリンター１０は、媒体に記録を行う記録ヘッド５０を備える装置本体１２の上部に設けられ、媒体をセット可能な媒体供給口２６と、装置本体１２の上部において開閉可能に設けられた、原稿を読み取る読み取り機構部１４と、媒体供給口２６を開閉する、装置本体１２に設けられた媒体供給口カバー７０と、読み取り機構部１４が備える原稿台５６を開閉するカバーであって、媒体供給口カバー７０と開き方向が同じである、読み取り機構部１４に設けられた原稿カバー５８と、を備え、媒体供給口カバー７０は、回動軸線方向と交差する方向である装置奥行き方向にスライド可能であり、原稿カバー５８と媒体供給口カバー７０は、読み取り機構部１４及び媒体供給口カバー７０が閉じるとともに原稿カバー５８が開いた状態から、読み取り機構部１４が開く過程において、媒体供給口カバー７０の先端７０ｂが原稿カバー５８に当接する位置関係にあるとともに、原稿カバー５８が媒体供給口カバー７０をスライドさせる構成である。
【００８２】
上記構成によれば、媒体供給口カバー７０は、回動軸線方向と交差する方向である装置奥行き方向にスライド可能であり、原稿カバー５８と媒体供給口カバー７０は、読み取り機構部１４及び媒体供給口カバー７０が閉じるとともに原稿カバー５８が開いた状態から、読み取り機構部１４が開く過程において、媒体供給口カバー７０の先端７０ｂが原稿カバー５８に当接する位置関係にあるとともに、原稿カバー５８が媒体供給口カバー７０をスライドさせる構成であるので、読み取り機構部１４及び媒体供給口カバー７０が閉じるとともに原稿カバー５８が開いた状態から、読み取り機構部１４を開く際の、媒体供給口カバー７０の破損を抑制或いは回避できる。また、その結果、原稿カバー５８と媒体供給口カバー７０とを大きく離す必要がなくなり、適切な装置の外観を実現できる。
【００８３】
媒体供給口カバー２４の上面２４ｅと原稿カバー５８の上面５８ｄとが面一である。この構成によれば、より良好な装置外観を実現できる。
【００８４】
また、本実施形態では本発明に係る読み取り機構部１４、媒体供給口カバー２４、７０及び原稿カバー５８を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００８５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００８６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８７】
１０…プリンター、１２…装置本体、１２ａ…ヒンジ取付部、１２ｂ…付勢手段取付部、１２ｃ…上部、１４…読み取り機構部、１６…操作部、１８…表示手段、２０…前面カバー、２２…排紙トレイ、２４、７０…媒体供給口カバー、２４ａ、５８ａ…軸受、２４ｂ…端部、２４ｃ…第１斜面、２４ｄ…底面、２４ｅ、５８ｄ、５８ｄ′上面、２６…媒体供給口、２８…媒体案内経路、３０…媒体搬送経路、３２…カセット、３４…ピックアップローラー、３６…反転ローラー、３８ａ、３８ｂ、３８ｃ…従動ローラー、４０…搬送ローラー対、４２…記録部、４４…排出ローラー対、４６、６０ａ、６２ａ…回動軸、４８…キャリッジ、５０…記録ヘッド、５２…媒体案内部材、５４…本体部、５６…原稿台、５８…原稿カバー、５８ｂ…第２斜面、５８ｃ、６６ｃ…係合部、６０、６２…ヒンジ、６４、７２…付勢手段、６６…揺動部材、６６ａ…揺動軸、６６ｂ…被係合部、６８…スリット、７０ａ…長穴、７０ｂ…先端、Ａ、Ｂ、Ｃ…矢印、Ｓ１…当接位置、α…角度
【図１】
0006697182.tif 000002
【図２】
0006697182.tif 000003
【図３】
0006697182.tif 000004
【図４】
0006697182.tif 000005
【図５】
0006697182.tif 000006
【図６】
0006697182.tif 000007
【図７】
0006697182.tif 000008
【図８】
0006697182.tif 000009
【図９】
0006697182.tif 000010
【図１０】
0006697182.tif 000011
【図１１】
0006697182.tif 000012
【図１２】
0006697182.tif 000013
【図１３】
0006697182.tif 000014
【図１４】
0006697182.tif 000015
【図１５】
0006697182.tif 000016
【図１６】
0006697182.tif 000017
【図１７】
0006697182.tif 000018
【図１８】
0006697182.tif 000019
【図１９】
0006697182.tif 000020
【図２０】
0006697182.tif 000021
【図２１】
0006697182.tif 000022
【図２２】
0006697182.tif 000023
【図２３】
0006697182.tif 000024
【図２４】
0006697182.tif 000025